(57)【要約】【課題】ＰＤ線に入光した光線のＰＤ線外部への漏出する手段、また、各種ＰＤ線の提案が少ない、さらに光源の出力が、同一出力の条件下において、ＰＤ線外部への光線漏出量を変化させる手段は、従来技術には見当たらない。そこで、例えば、出力が小さな光源であっても当該漏出量を増加させる手段により、効率の良いＰＤ接合ができる提案を課題とする。【解決手段】本発明の一対のＰＤ端子間を接続するＰＤ線は、大外径の端子接続部と溶着面に平行な面上に配置される小外径部位を有し、当該部位は、均一な外径およびＰＤ線表面に目荒らし部位を施した特徴、大きな外径の端子接続部と溶着面に平行な面上に配置される小外径部位および中外径部位を有し、不均一な外径部位を有し、およびＰＤ線表面に目荒らし部位を施した、あるいは施さない特徴を有する形態のＰＤ線の構造を手段とする。また、外径の変化する部位は、緩やかに外径が増減する特徴を手段とする。【選択図】図４
2019081262.tif 000002
【特許請求の範囲】
【請求項１】
一対のＰＤ端子間を接続するＰＤ線は、大外径の端子接続部と溶着面に平行な面上に配置される小外径部位を有し、当該部位は、均一な外径およびＰＤ線表面に目荒らし部位を施した特徴を有するＰＤ線の構造。（発明その１および図４）
【請求項２】
ＰＤ線は、大きな外径の端子接続部と溶着面に平行な面上に配置される小外径部位および中外径部位を有し、不均一な外径部位を有し、およびＰＤ線表面に目荒らし部位を施した、あるいは施さない特徴を有するＰＤ線の構造。（発明その２および図５）
【請求項３】
ＰＤ線は、大外径の端子接続部と溶着面に平行な面上に配置される小外径部位を有し、小外径部位は均一な外径であり、ＰＤ線表面には目荒らし部位を施さない特徴を有するＰＤ線の構造。（発明その３および図３）
【請求項４】
ＰＤ線は、端子接続部ならびに連結線部の双方あるいは一方にＰＤ線表面に鏡面（ＰＤ線側）被覆を施したことを特徴とする請求項１あるいは請求項２あるいは請求項３に記載のＰＤ線の構造。（発明その４および図６(イ)および図７（ホ）ならびに（チ））
【請求項５】
請求項１ならびに請求項２ならびに請求項３ならびに請求項４に記載のＰＤ線を配備する一群のＰＤ継手ならびに一群のＰＤ部品の構造。（発明その５）
【請求項６】
ＰＤ線は、ＰＤ線の表面に目荒らし部位を施し、ＰＤ線に入光した光線がＰＤ線外部に漏出しやすくした構造を特徴とする請求項１ならびに請求項２ならびに請求項３ならびに請求項４ならびに請求項５に記載のＰＤ線の構造。（発明その６および図６（ハ）ならびに（二））
【請求項７】
ＰＤ線において、一対の端子間を接続するＰＤ線の外径の数値は、ＰＤ線の両先端であって、最も光源側に近い部分の外径が最も大なることを特徴とする請求項１ならびに請求項２ならびに請求項３ならびに請求項４ならびに請求項５ならびに請求項６に記載のＰＤ線の構造。（発明その７および図３ならびに図４ならびに図５）
【請求項８】
端子接続部より溶着面に平行な面上に配置される小外径部位に接続する部位は、緩やかに外径が小さくなることを特徴とする請求項１ならびに請求項２ならびに請求項３ならびに請求項４ならびに請求項５ならびに請求項６ならびに請求項７に記載のＰＤ線の構造。（発明その８および図３ならびに図４ならびに図５）
【請求項９】
ＰＤ線おいて、外径が変化する部分では緩やかに外径が変化して各部が接続する特徴を有する請求項１ならびに請求項２ならびに請求項３ならびに請求項４ならびに請求項５ならびに請求項６ならびに請求項７ならびに請求項８に記載のＰＤ線の構造。（発明その９および図３ならびに図４ならびに図５）
【請求項１０】
特許文献１より５に記載の請求事項に、本発明の請求項を付加して、当該ＰＤ線を配備する全ての一群をなすＰＤ接合ならびにＰＤ継手ならびに一群のＰＤ部品を請求することが可能となる。したがって、本発明のＰＤ線を配備する全ての一連のＰＤ接合に関する事項を請求する。（発明その１０ならびに先行技術文献全て）
【発明の詳細な説明】
【技術分野】
【０００１】
本発明は、ポリエチレンや塩化ビニールなどの合成樹脂製の管継手であるＰＤ継手ならびにＰＤ部品に配備されるＰＤ接合するために溶着面(面取り面の溶着面も含む）に平行な面上に埋め込まれて配備されるＰＤ線に関する。
【０００２】
さらに、先行文献に記載の一連のＰＤ接合に使用するＰＤ線に関する追加事項である。
【０００３】
また、一対のＰＤ端子間を接続するＰＤ線は、大外径の端子接続部と溶着面に平行な面上に配置される小外径部位を有し、当該部位は、均一な外径およびＰＤ線表面に目荒らし部位を施した特徴を有するＰＤ線に関する。（発明その１および図４）
【０００４】
また、本発明のＰＤ線は、大きな外径の端子接続部と溶着面に平行な面上に配置される小外径部位および中外径部位を有し、不均一な外径部位を有し、およびＰＤ線表面に目荒らし部位を施した、あるいは施さない特徴を有するＰＤ線に関する。（発明その２および図５）
【０００５】
また、本発明のＰＤ線は、大外径の端子接続部と溶着面に平行な面上に配置される小外径部位を有し、小外径部位は均一な外径であり、ＰＤ線表面には目荒らし部位を施さない特徴を有するＰＤ線に関する。（発明その３および図３）
【０００６】
また、本発明のＰＤ線は、端子接続部ならびに連結線部の双方あるいは一方にＰＤ線表面に鏡面（ＰＤ線側）被覆を施したことを特徴とするＰＤ線に関する。（発明その４および図６(イ)および図７（ホ）ならびに（チ））
【０００７】
また、本発明は、本発明のＰＤ線を配備する一群のＰＤ継手ならびに一群のＰＤ部品に関する。（発明その５）
【０００８】
また、本発明は、ＰＤ線の表面に目荒らし部位を施し、ＰＤ線に入光した光線がＰＤ線外部に漏出しやすくした構造を特徴とするＰＤ線に関する。（発明その６および図６（ハ）ならびに（二））
【０００９】
また、本発明のＰＤ線において、一対の端子間を接続するＰＤ線の外径の数値は、ＰＤ線の両先端であって、最も光源側に近い部分の外径が最も大なることを特徴とするＰＤ線に関する。（発明その７および図３ならびに図４ならびに図５）
【００１０】
また、端子接続部より溶着面に平行な面上に配置される小外径部位に接続する部位は、緩やかに外径が小さくなることを特徴とするＰＤ線に関する。（発明その８および図３ならびに図４ならびに図５）
【００１１】
また、ＰＤ線おいて、外径が変化する部分では緩やかに外径が変化して各部が接続する特徴を有するＰＤ線に関する。（発明その９および図３ならびに図４ならびに図５）
【背景技術】
【００１２】
先に出願した先行技術の特許文献１より５には、ＰＤ接合やＰＤ継手やＰＤ部品について種々の発明が提案されている。また、従来技術には、類似の発明は少ないためか、見つけきることが難しい状態である。
【先行技術文献】
【特許文献】
【００１３】
【特許文献１】特願２０１７−２０３００６        追加４
【特許文献２】特願２０１７−１４３１４１        追加３
【特許文献３】特願２０１７−１１５５１８        追加２
【特許文献４】特願２０１７−１００４３７        追加
【特許文献５】特願２０１７−０９２０５９        始まり
【発明の概要】
【発明が解決しようとする課題】
【００１４】
背景技術に鑑みて、先行文献の全ての文献および従来技術の全てにおいて、ＰＤ接合やＰＤ継手やＰＤ部品ならびにＰＤ線についての詳しい説明がないので、その不足分の補足を課題とする。（課題その１）
【００１５】
また、ＰＤ線に入光した光線のＰＤ線外部への漏出する手段を課題とする。（課題その２）
【００１６】
また、各種ＰＤ線の提案が少ないので提案の補足を課題とする。（課題その３）
【００１７】
さらに、ＰＤ線に入光する光線の光量は、光源の出力により変化させる事ができるが、同一出力の条件下において、ＰＤ線外部への光線漏出量を変化させる手段は従来技術には見当たらない。そこで、例えば、出力が小さな光源であっても当該漏出量を増加させる手段により、効率の良いＰＤ接合ができる提案が求められる。その問題解決を課題とする。（課題その４）
【００１８】
また、光線の通路となるＰＤ線において、外径が変化する部分でも速やかに伝達することを目的とする手段が必要とされている。（課題その５）
【課題を解決するための手段】
【００１９】
本発明では、課題を解決する手段として、一対のＰＤ端子間を接続するＰＤ線は、大外径の端子接続部と溶着面に平行な面上に配置される小外径部位を有し、当該部位は、均一な外径およびＰＤ線表面に目荒らし部位を施した特徴を有するＰＤ線を手段とする。（発明その１および図４）
【００２０】
さらに、本発明のＰＤ線は、大きな外径の端子接続部と溶着面に平行な面上に配置される小外径部位および中外径部位を有し、不均一な外径部位を有し、およびＰＤ線表面に目荒らし部位を施した、あるいは施さない特徴を有するＰＤ線を手段とする。（発明その２および図５）
【００２１】
さらに、本発明のＰＤ線は、大外径の端子接続部と溶着面に平行な面上に配置される小外径部位を有し、小外径部位は均一な外径であり、ＰＤ線表面には目荒らし部位を施さない特徴を有するＰＤ線を手段とする。（発明その３および図３）
【００２２】
さらに、本発明のＰＤ線は、端子接続部ならびに連結線部の双方あるいは一方にＰＤ線表面に鏡面（ＰＤ線側）被覆を施したことを特徴とするＰＤ線を手段とする。（発明その４および図６(イ)および図７（ホ）ならびに（チ））
【００２３】
さらに、本発明は、本発明のＰＤ線を配備する一群のＰＤ継手ならびに一群のＰＤ部品を手段とする。（発明その５）
【００２４】
さらに、本発明は、ＰＤ線の表面に目荒らし部位を施し、ＰＤ線に入光した光線がＰＤ線外部に漏出しやすくした構造を特徴とするＰＤ線を手段とする。（発明その６および図６（ハ）ならびに（二））
【００２５】
また、課題その５を解決する手段として、端子接続部より溶着面に平行な面上に配置される小外径部位に接続する部位は、緩やかに外径が小さくなることを特徴とするＰＤ線を手段とする。（発明その８および図３ならびに図４ならびに図５）
【００２６】
さらに、、ＰＤ線おいて、外径が変化する部分では緩やかに外径が変化して各部が接続する特徴を有するＰＤ線を手段として課題その５を解決する。（発明その９および図３ならびに図４ならびに図５）
【発明の効果】
【００２７】
以上に記載の課題その１およびその２およびその３は、本発明の発明その１より発明その６の手段により解決された。したがって、新技術の提案となり、将来の水素配管などを含んだライフラインの合成樹脂樹脂管の大口径化やＥＦ接合では大口径のＥＦ接合では、長時間を有する接合時間の時間短縮にも貢献する効果も産まれた。
【００２８】
さらに、先に出願した特許文献１より５において不足だったＰＤ線の構造を提案し、当該文献の確立に寄与することができた。
【００２９】
さらに、本発明が技術の確立の一役を担え、先行文献１より５の新技術は、技術確立の飛躍をすることができる。また、孫や玄孫の時代における配管技術の一役となる。
【図面の簡単な説明】
【００３０】
【図１】特願２０１７−１１５５１８号  図８（断面図）の上部の一部分を転載した図。
【図２】図１のＰＤ線のみを取り出して範囲を記入した図。
【図３】大外径の端子接続部と溶着面に平行な面上に配置される小外径部位（均一な外径および目荒らし部位無し）のＰＤ線正面図
【図４】大外径の端子接続部と溶着面に平行な面上に配置される小外径部位（均一な外径および目荒らし部位有り）のＰＤ線正面図
【図５】大外径の端子接続部と溶着面に平行な面上に配置される小外径部位および中外径部位（不均一な外径部位有りおよび目荒らし部位は有りあるいは無し）のＰＤ線正面図
【図６】（イ）  Ｋ−Ｋ断面図（ロ）  Ｌ−Ｌ断面図（ハ）  Ｍ−Ｍ断面図（ニ）  Ｍ−Ｍの拡大図
【図７】（ホ）  ＮーＮ断面図（へ）  Ｐ−Ｐ断面図（ト）  Ｑ−Ｑ断面図（チ）  Ｚ−Ｚ断面図
【発明を実施するための形態】
【００３１】
本発明は、一対のＰＤ端子間を接続するＰＤ線は、大外径の端子接続部と溶着面に平行な面上に配置される小外径部位を有し、当該部位は、均一な外径およびＰＤ線表面に目荒らし部位を施した特徴を形態とするＰＤ線である。（発明その１および図４）
【００３２】
また、本発明のＰＤ線は、大きな外径の端子接続部と溶着面に平行な面上に配置される小外径部位および中外径部位を有し、不均一な外径部位を有し、およびＰＤ線表面に目荒らし部位を施した、あるいは施さない特徴を形態とするＰＤ線である。（発明その２および図５）
【００３３】
また、本発明のＰＤ線は、大外径の端子接続部と溶着面に平行な面上に配置される小外径部位を有し、小外径部位は均一な外径であり、ＰＤ線表面には目荒らし部位を施さない特徴を形態とするＰＤ線である。（発明その３および図３）
【００３４】
また、本発明のＰＤ線は、端子接続部ならびに連結線部の双方あるいは一方にＰＤ線表面に鏡面（ＰＤ線側）被覆を施した特徴を形態とするＰＤ線である。（発明その４および図６(イ)および図７（ホ）ならびに（チ））
【００３５】
また、本発明は、本発明のＰＤ線を配備する形態を有する一群のＰＤ継手ならびに一群のＰＤ部品となる。（発明その５）
【００３６】
また、本発明は、ＰＤ線の表面に目荒らし部位を施し、ＰＤ線に入光した光線がＰＤ線外部に漏出しやすくした構造を特徴を形態とするＰＤ線である。（発明その６および図６（ハ）ならびに（二））
【００３７】
また、本発明のＰＤ線において、端子接続部より溶着面に平行な面上に配置される小外径部位に接続する部位は、端子接続部より溶着面に平行な面上に配置される小外径部位へと緩やかに外径が小さくなることを特徴とする形態のＰＤ線である。（発明その８および図３ならびに図４ならびに図５）
【００３８】
さらに、ＰＤ線おいて、外径が変化する部分では緩やかに外径が変化して各部が接続する特徴を形態とするＰＤ線である。（発明その９および図３ならびに図４ならびに図５）
【実施例】
【００３９】
本発明の実施例を図示します。図１は、先に出願した特願２０１７−１１５５１８号  図８（断面図）の上部の一部分を転載した図であり、ソケットの場合を例とした。また、図２は、図１のＰＤ線のみを取り出して範囲を記入した図である。
【００４０】
図１において、１はＰＤ線であり、本発明では２０の（本発明の）ＰＤ線とした。ＰＤ線の材質は、石英ガラスやＢＫ７や無色透明の低密度ポリエチレンなどである。また、３はＰＤ端子であり、ＰＤ線と光源より光線を伝達する光ファイバーを接続して、ＰＤ線に光源よりのＹＡＧレーザー光線やハロゲンランプなどの広範の赤外域の光線を入光させる部位の端子である。
【００４１】
さらに、一対のＰＤ端子間を接続する１本のＰＤ線において、一方の端子より入光した光線は、ＰＤ線外部へ漏出して溶着固着に費やされ、さらに、残った光線は、もう一方の端子より「光源へ帰還する構造となっている。
【００４２】
また、５は左右ＰＤ線連結線であり、ソケットの左側と右側を同一のＰＤ線で接合する場合に左右を連結する部位である。ソケットやキャップやサドル状の各種継手において、接合する合成樹脂製の管外径が大きくなった場合には、一対のＰＤ端子とその間を接続する１本のＰＤ線を１ブロックとして、複数ブロック配備して接合を完了させることは支障はない。また、１０はソケットＰＤ継手本体である。
【００４３】
つぎに、図２は図１のＰＤ線のみを取り出して各部の範囲を記入した図である。当該の範囲について、ＡＡは端子接続部であり、ＰＤ端子先端に入光した光線をＰＤ線へ伝達するぶいである。また、ＢＢは溶着面に平行な面上に配置される小外径部位であり、溶着面同士を接合するためのＰＤ線である。ＡＡよりＢＢへの接続は、端子接続部より溶着面に平行な面上に配置される小外径部位に接続する部位は、端子接続部より溶着面に平行な面上に配置される小外径部位へと緩やかに外径が小さくなることを特徴とする形態のＰＤ線となっている。（発明その８および図３ならびに図４ならびに図５）
【００４４】
つぎに、ＣＣは連結線部であり例としたソケットの左側のＰＤ線が右側へ渡る連結部である。また、複数ブロックのＰＤ端子とＰＤ線を配備する場合には、不要となる。さらに、図３ならびに図４ならびに図５におけるＰＤ線の外径が変化する部分では緩やかに外径が変化して各部が接続する特徴を形態とするＰＤ線となっている。（発明その９および図３ならびに図４ならびに図５）
【００４５】
つぎに、図３は大外径の端子接続部と溶着面に平行な面上に配置される小外径部位（均一な外径および目荒らし部位無し）のＰＤ線正面図である。各部の断面は図６および図７に図示してあるので参照ください。本図のＰＤ線は、ＡＡ端子接続部とＢＢの溶着面に平行な面上に配置される小外径部位とＣＣの結線部より構成されている。ここで、当該ＰＤ線のＢＢとＣＣは均一な外径であり、外表面には目荒らし部位を施していないＰＤ線の形態をしている。
【００４６】
したがって、本発明の図３のＰＤ線は、端子接続部が大きな外径の端子接続部ＡＡと溶着面に平行な面上に配置される小外径部位のＢＢを有し、小外径部位は均一な外径であり、ＰＤ線表面には目荒らし部位を施さない特徴を形態とするＰＤ線である。（発明その３および図３）
【００４７】
また、図６に図示した（イ）のＫ−Ｋ断面図および（ロ）のＬ−Ｌ断面図と図７に図示したチ）のＺ−Ｚ断面より、当該ＰＤ線は外径の変化する円柱状のＰＤ線であることが図示されている。
【００４８】
さらに、本断面図に記述の５０はＰＤ線外表面を鏡面（ＰＤ線側）被覆した状態が図示されている。本発明のＰＤ線は、図６の（イ）のＫ−Ｋ断面と図７の（チ）のＺーＺ断面より、ＡＡの端子接続部ならびに連結線部の双方あるいは一方にＰＤ線表面に鏡面（ＰＤ線側）被覆を施した特徴を形態とするＰＤ線である。（発明その４および図６(イ)および図７（ホ）ならびに（チ））
【００４９】
また、本発明のＰＤ線は、先行文献の特許文献１より５に記載の一群のＰＤ継手ならびに一群のＰＤ部品に配備することができ、さらに、従来のＥＦ部品やＥＦ部品継手のＥＦ線を当該ＰＤ線に代えることにより、従来の全てのＥＦ部品ならびに継手は、本発明のＰＤ線を配備した一群のＰＤ継手ならびに一群のＰＤ部品となる。（発明その５）
【００５０】
また、図３より本発明のＰＤ線において、ＡＡの端子接続部よりＢＢの溶着面に平行な面上に配置される小外径部位に接続する部位は、端子接続部より溶着面に平行な面上に配置される小外径部位へと緩やかに外径が小さくなることを特徴とする形態のＰＤ線である。（発明その８および図３ならびに図４ならびに図５）
【００５１】
さらに、ＰＤ線おいて、外径が変化する部分では緩やかに外径が変化して各部が接続する特徴を形態とするＰＤ線である。（発明その９および図３ならびに図４ならびに図５）
【００５２】
つぎに、図４は基本的には図３とほぼ同様である。違う点は、ＢＢの部位が凸凹Ｄの部位に換えた点である。図６における（ロ）のＬ−Ｌ断面が、図６における（ハ）のＭ−Ｍ断面に変わった点である。図６における（ニ）はＭ−Ｍの拡大図である。こＫで、３０は目荒らし部位である。拡大図に図示しているように、所々に小さな凹部を連続させても、あるいは点々と針の尖端状の凹部でも支障はなく、ＰＤ線内部を伝達する光線が該凹部により不規則な反射をすることにより、外部への漏出を増加させることが可能と推察した結果である。
【００５３】
したがって、一対のＰＤ端子間を接続するＰＤ線は、大外径の端子接続部と溶着面に平行な面上に配置される小外径部位を有し、当該部位は、均一な外径およびＰＤ線表面に目荒らし部位を施した特徴を有するＰＤ線である。（発明その１および図４）
【００５４】
つぎに、図５は大外径の端子接続部と溶着面に平行な面上に配置される小外径部位および中外径部位（不均一な外径部位有りおよび目荒らし部位は有りあるいは無し）のＰＤ線正面図である。該ＰＤ線は、ＡＡとＣＣとＧＧの溶着面に平行な面上に配置される中外径部より構成されている。各部の断面は図７における（ホ）のＮーＮ断面図と（へ）のＰ−Ｐ断面図と（ト）のＱ−Ｑ断面図と（チ）のＺ−Ｚ断面図に図示している。
【００５５】
ここで、該ＰＤ線は図３を基本として、図３におけるＢＢおよび図４における凸凹ＤをＧＧの溶着面に平行な面上に配置される中外径部に換えたものである。図７における（ヘ）の小外径部位ＰーＰ断面図と（ト）の中外径部位ＱーＱ断面図とを比べると、Ｑ−Ｑ断面図の方が外径が少し大きくなっている。
【００５６】
このことは、内部を伝達する光線の内部の反射角度が変わることを意味して、小外径部位より中外径部位の方がＰＤ線の外部への光線漏出が増加すると推察できるからである。そのために、図４の様に目荒らし部位と同様の効果を得られるとの推察である。
【００５７】
また、ＧーＧ部にＰＤ線表面に目荒らし部位を施したてもよく、あるいは施さないでもよい。このように、溶着部に配備されるＰＤ線の部位は、外径を変化させたり、目荒らし部位を施すなどの手段を組み合わせることにより、種々の光源の出力調整と兼ね合わせると多種多様な調整方法が確立できて、ＰＤ接合の技術確立に貢献できる。
【００５８】
したがって、当該ＰＤ線は、大きな外径の端子接続部と溶着面に平行な面上に配置される小外径部位および中外径部位を有し、不均一な外径部位を有し、およびＰＤ線表面に目荒らし部位を施した、あるいは施さない特徴を有するＰＤ線の構造である。（発明その２および図５）
【００５９】
さらに、図５より当該ＰＤ線おいて、外径が変化する部分では緩やかに外径が変化して各部が接続する特徴を有するＰＤ線の構造となっている。（発明その９および図３ならびに図４ならびに図５）
【００６０】
さらに、本発明のＰＤ線は、ＰＤ線の表面に目荒らし部位を施し、ＰＤ線に入光した光線がＰＤ線外部に漏出しやすくした構造を特徴とするＰＤ線の構造である。（発明その６および図６（ハ）ならびに（二））
【００６１】
さらに、本発明のＰＤ線において、一対の端子間を接続するＰＤ線の外径の数値は、ＰＤ線の両先端であって、最も光源側に近い部分の外径が最も大なることを特徴とするＰＤ線の構造である。（発明その７および図３ならびに図４ならびに図５）
【００６２】
さらに、本発明のＰＤ線において、端子接続部より溶着面に平行な面上に配置される小外径部位に接続する部位は、緩やかに外径が小さくなることを特徴とするＰＤ線の構造である。（発明その８および図３ならびに図４ならびに図５）
【００６３】
最後に、特許文献１より５に記載の請求事項に、本発明の請求項を付加して、当該ＰＤ線を配備する全ての一群をなすＰＤ接合ならびにＰＤ継手ならびに一群のＰＤ部品を請求することが可能となる。したがって、本発明のＰＤ線を配備する全ての一連のＰＤ接合に関する事項を請求項とする。（発明その１０ならびに先行技術文献全て）
【産業上の利用可能性】
【００６４】
以上のことより、本発明のＰＤ線は、外径を変化させたり、目荒らし部位を施すなどの手段を組み合わせて多様な光線漏出手段を得ることができる。さらに、種々の光源の出力調整と兼ね合わせると多種多様な調整方法が確立できて、ＰＤ接合の技術確立に貢献できる可能性があるので、口径の大小に関わらずに、ＥＦ接合より短時間による接合が可能となって、現場の接合時間の削減もできる。さらに、新しいＰＤ継手やＰＤ部品の開発にも寄与できる。
【００６５】
さらに、特許文献１より５に記載のＰＤ接合に関することと兼ね合わせると配管継手以外の合成樹脂製の部品同士を接合することにも利用可能である。
【符号の説明】
【００６６】
１      ＰＤ線
３      ＰＤ端子
５      左右ＰＤ線連結線
１０    ソケットＰＤ継手本体
２０    （本発明の）ＰＤ線
３０    目荒らし部位
５０    鏡面（ＰＤ線側）被覆
ＡＡ     端子接続部
ＢＢ    溶着面に平行な面上に配置される小外径部位
ＣＣ    連結線部
凸凹Ｄ  溶着面に平行な面上に配置される表面目荒らし部
ＧＧ    溶着面に平行な面上に配置される中外径部
【図１】
2019081262.tif 000003
【図２】
2019081262.tif 000004
【図３】
2019081262.tif 000005
【図４】
2019081262.tif 000006
【図５】
2019081262.tif 000007
【図６】
2019081262.tif 000008
【図７】
2019081262.tif 000009